(57)【要約】      （修正有）【課題】動物に直接接触可能な動物用防護手袋を提供する。【解決手段】動物用防護手袋は、手袋の指先部分の腹または爪の部分に穴６４〜６６を設け、指の一部を露出できるようにする。特に穴は中指、薬指および親指の腹側だけを開口していることを特徴とする。この穴を通して犬や猫等の動物に直接露出した指で接触できるので、動物を愛玩したり動物の健康の状態を把握したりすることができる。また、手部および前腕部が連結された手袋であり、動物から手および前腕を防護する。【選択図】図３
0003199579.tif 000002
【実用新案登録請求の範囲】
【請求項１】
指部の腹側部分および／または指部の爪側部分に穴を設けて、指の一部を露出できるようにしたことを特徴とする、動物用防護手袋。
【請求項２】
穴は中指、薬指および親指の腹側だけに開口していることを特徴とする、請求項２に記載の動物用防護手袋。
【請求項３】
手袋は、手部および前腕部が連結された手袋であることを特徴とする、請求項１または２に記載の動物用防護手袋。
【考案の詳細な説明】
【技術分野】
【０００１】
本考案は、犬や猫等の動物に接触するときに用いる動物用防護手袋に関する。
【背景技術】
【０００２】
近年のペットブームにより、家庭で犬や猫等の小動物をペットとして飼うようになり、多数の老若男女子供が小動物に接触し、特に素手で触れることが多い。日常的にペットとして可愛がっていても、犬や猫等が急に爪で引っかいたり、噛みついたりして、手にけがをすることもある。増して、慣れていない他人が興味のために触ろうとしたとき、ペットショップで店員やペットシッターが手入れをするとき、動物の治療や診療で獣医師が動物に接触するときなどに、その他人や獣医師等にかみついたり引っかいたりする。しかし一方で、人間は、素手で犬や猫に触りたいという要求は強く、素手で犬や猫を撫でたりし、その感触を確かめながらペットとの親密度を高めたいと望んでいる。動物病院の獣医師も患者である動物に直接素手で接触してその動物の症状を確認する必要がある。
【先行技術文献】
【特許文献】
【０００３】
【特許文献１】実用新案登録第３１２４０３５号
【考案の概要】
【考案が解決しようとする課題】
【０００４】
犬や猫等の動物に接触するときに動物に爪で引っかかれたり、噛まれたりして手や腕に怪我をする恐れがある。これを防止するために動物用保護手袋を手や腕に付けて動物に接触することも考えられるが、動物の感触が得られないという問題がある。動物の毛並みを楽しみたいという人や動物を愛玩したいという人などにとっては、手袋をつけた状態では動物に直接接触できないので大きな欲求不満を持つ。日常的にペットの手入れを行なう人やペットショップの店員およびペットシッターは、手袋をつけた状態で動物の手入れをするのは作業性も悪く十分な手入れもできない。獣医師も動物の病気の診断も手袋をつけた状態では正確に行なうことが難しい。そこで、このような問題点を解決するために、手袋の指部の先端部を切って指の先端部を露出する獣医師用手袋が提案されている。（特許文献１）しかしこのような手袋では、動物との接触が直接可能であるものの、露出した指を引っかかれたり噛まれたりして、やはり怪我をする恐れが残ってしまう。
【課題を解決するための手段】
【０００５】
本考案は、犬や猫等の小動物に素手で触りたいという要求と、引っかかれたりかまれたりした場合に怪我をしたくないという要求を同時に満足する手袋を提供するものである。
この目的を達成するために、本考案の動物用防護手袋は、手袋の指先部分の腹または爪の部分に穴を設けており、この穴を通して犬や猫等の小動物に指の腹で直接接触することができる。また、本考案の動物用防護手袋は、手部および前腕部が連結された手袋であり、動物から手および前腕を防護する。
【考案の効果】
【０００６】
手袋の指先部分に設けた穴を通して、犬や猫等の小動物に指の腹で直接接触することができるので、小動物の状態を直接感触できる。また、小動物が噛みついたり、引っかいたりしても、穴の開いている部分は小さいので、小動物の牙（歯）や爪等が、直接素手に触れることは殆どなく、怪我をしたり、傷ついたりすることも非常に少なくなる。
穴の開いていない部分を強く引っかかれたり噛まれたりしても、手袋を介しているので痛みや傷を軽減することができる。
このように、本考案の動物用防護手袋を着用することによって、本考案の目的である「犬や猫等の小動物に素手で触りたいという要求と、引っかかれたりかまれたりした場合に怪我をしたくないという要求を同時に満足する手袋を提供すること」を実現することができる。
【図面の簡単な説明】
【０００７】
【図１】図１は、本考案の動物用防護手袋の一実施形態を示す図である。
【図２】図２は、本考案の動物用防護手袋の指部側に設けた穴の配置が異なる別の実施形態を示す図である。
【図３】図３は、本考案の動物用防護手袋の別の実施形態を示す図である。
【図４】図４は、実際に作製した本考案の動物用防護手袋の写真である。
【図５】図５は、実際に作製した本考案の動物用防護手袋の他の実施例の写真である。
【考案を実施するための形態】
【０００８】
図１は、本考案の動物用防護手袋の一実施形態を示す図である。図１は右手側の手袋を示しているが、左手側も同様である。図１（ａ）は手袋の甲側を示し、図１（ｂ）は手袋の掌（手のひら）側を示す。本実施形態の手袋１０は、手側である手部５と前腕側である前腕部６から構成される。ここで、手部とはおおよそ手首から指の先までの部分であり、前腕部とは、おおよそ手首から肘までの部分を言う。手部５は前腕部６と繋ぎ目１５で接続し、破線１６は縫い合わせ部分である。手部５は指部を含む手部布（または皮）１４から構成される。前腕部６は、前腕布（または皮）１３と、開口部９と、ファスナー２１とを主たる構成要素とする。前腕部６の長さは、手部５との繋ぎ目（ほぼ手首付近）から腕の肘付近までの長さであり、小動物の種類（比較的小さな小動物）によっては短いものでも良く、あるいは、比較的大きな小動物や鳥などでは腕の肘より長いものでも良い。手や腕は、前腕部６の開口部９から入れる。実線２５は前腕布（または皮）１３の繋ぎ目で、破線２６は縫い目である。
【０００９】
手部５は５本指対応になっており、手部５の甲部側の手の甲があたる部分は裏生地および／またはプリーツ部２４をあてる。図１ではプリーツの山は７個ある。これらによって、爪をたてられたり噛まれたりした場合でも、怪我をしにくくしたり、痛くないようにしたりして、より安全になるとともに曲げやすくもなり、手の操作性も良くなる。他の部分も手の動作に支障を与えない程度に裏生地等をあてても良い。また、手部５または前腕部６の手首付近にギャザー２３を入れることによって、手袋１０が手首にフィットしやすくなり、手を動作しやすくなりまた外観もすっきりする。ファスナー２１を開いたときに前腕布（または皮）１３および開口部９が大きくなり腕等を入れやすくなり、ファスナー２１を閉じたときに腕を適度に締めて、前腕部６を動作しやすくする。破線１７、１９はファスナー部布の縫い線を示し、実線１７はファスナー部の合わせ部分である。ファスナー以外に、面ファスナーやボタン等で適度に締めることもできる。また、手袋１０には吊り下げ用リングテープ２７をつけておくと、壁などにかけて保管しやすい。
【００１０】
手袋の掌｛手の平（ひら）｝側（図１（ｂ））における手部において、５本指（部）（親指（部）３１、人差し指（部）３２、中指（部）３３、薬指（部）３４、小指（部）３５）の指先の腹側に穴（開口部）（４１、４２、４３、４４、４５）が空いている。一方、手袋の甲（手のひら）側（図１（ｂ））における手部において、５本指の爪側には穴（開口部）は開いていない。従って、手を入れたときに、指の腹が穴（開口部）（４１、４２、４３、４４、４５）部において露出している。手袋をはめて小動物に触ったときに、露出した指の腹が小動物の皮膚や毛に接触する。従って、小動物の触感を確認し楽しめる。ペットショップの店員やペットシッターもペットの手入れをしやすくなる。また、獣医師等であれば小動物の症状を直接感じ取ることができるので、より的確に病状を把握できる。尚、腹側に作製した穴は、通気穴の役割もあるので、長時間手袋をはめても汗をかきにくく蒸れずに作業を続けることもできる。また、通気穴やその他の目的（たとえば、アクセサリやファッション）のために、爪側に穴を設けることもできる。破線２８は親指部を手袋１０の手部５に取り付ける縫線を示す。
【００１１】
図２は、手袋の指部側に設けた穴の配置が異なる別の実施形態を示す図である。手袋の手部側のみを示す。図２（ａ）は手袋の手部の甲部側であり、図２（ｂ）は手袋の手部の掌部側（手のひら側）である。図２は右手側のみを示している。図１と共通の部分は同じ符号を付けている。図２では、指の爪側にも穴５１、５２、５３が空いている。穴５１は親指部３１、穴５２は人指し指部３２、穴５３は中指部５３の爪側に作製されており、手袋を身に付けたときにこれらの指の爪が外側から見え、ファッション性や通気性が向上する。余り大きくあけると手袋の強度が低下するので、指の爪と同程度のサイズか少し大きめのサイズが良い。マニキュア等をしている女性などにとっては、手袋を着用してもマニュキュア爪が見えるので、美感が高まり、ファッション性も向上する。尚、他の薬指部３４や小指部３５に穴を形成することもできる。
【００１２】
手袋の指部の腹側においても、親指部３１の指部の腹には穴４１、中指部３３の指部の腹には穴４３、薬指部３４の指部の腹には穴４４があいている。図２（ｂ）では、人差し指は動物に噛まれたり引っかかれたりしやすい部所なので、そのような危険から守るために、人指し指部には穴が空いていない。穴の開口位置は、指の腹が最も出ている部分が必ず露出するような配置にすることが望ましい。指の腹が最も出ている部分は感受性も高いので、動物に触れたときにより親密度が得られると考えられる。また、獣医師やペットシッターの場合は動物の状態を良く把握できるようになる。破線４６、４７は指の第１関節位置（指の先に近い関節、遠位指節間関節とも言う）を示すが、指の第１関節位置を出すようにすることによって、指を曲げやすくなり、より動物に触れやすくなる。指の腹部の穴の中心は、腹の中心となる指の腹が最も出ている部分になるように、手袋の指の腹側の中心付近にするのが良いが、少しずらしても良い。特に親指の場合には、親指を動かしやすいようにするために、開口位置を指の中心位置より少しずらして配置することもできる。小指は感受性が弱く、または動作が緩慢なので、安全等のために図２では穴を形成していない。尚、ここで、指の腹部は、末節部、すなわち指先から遠位指節間関節（親指では指先から指節間関節）までの指の部分に相当する。
【００１３】
手袋の材質は、通常手袋として使用されている材料や防護手袋に使用されている材料、その他服飾等に使用されている材料を使用することができ、特に制限されない。たとえば、綿等の織布、牛革や鹿革等の動物皮革、合成皮革、天然ゴム、ニトリルゴム、発泡樹脂、ケプラー繊維、ポリ塩化ビニール樹脂、ポリエチレン等の化学繊維等、その他の繊維を使用できる。これらの材料を適宜組み合わせて使用しても良い。たとえば、手部には柔らかい素材の材料を使用して指や手首を動きやすくし、前腕部には硬くて丈夫な材料を使用することができる。あるいは、二重、三重に同一または異なる材料を重ねて強度を高めても良い。あるいは、手部および／または前腕部に柔らかく且つ丈夫な素材を使用することによって、動物に触れる人に対して恐怖心を与えることがなく、手入れや診断等時に安心して接触できるとともに、十分な手入れや的確な診断が可能となる。
【００１４】
図３は、本考案の動物用防護手袋の別の実施形態を示す図である。図３（ａ）は手のひら側を示す図であり、図３（ｂ）は手の甲側を示す図である。本実施形態では親指部６１の指の腹側に穴６４が空いていて親指の腹が見えている。また、中指部６２の指の腹側に穴６５が空いていて中指の腹が見えている。さらに、薬指部６３の指の腹側に穴６６が空いていて薬指の腹が見えている。手の甲側の指部には穴は形成されていない。前腕部にはファスナー６７が付いており、ファスナー６７を閉じて前腕部にも手袋を装着し前腕を防護するようになっている。裾側は開口部７２が開口し、この部分から手を入れていく。手袋の前腕部の手のひら側の裾部６９がやや浅めに形成され、手の甲側の裾部７０はやや長めに形成されている。また、プリーツ部７１ではプリーツの山が９個形成されている。このように、親指、中指、薬指の腹が露出しているので、動物に直接接触して、動物の状態を感じることができる。また、その他の部分は手袋の生地で完全に防護されているので、動物に引っかかれても、噛まれても、怪我をすることは殆どなくなる。
【００１５】
図４は、実際に作製した本考案の動物用防護手袋の写真である。図４（ａ）は手の甲側を取った写真であり、図４（ｂ）は手の平側を取った写真である。親指部８１、中指部８２、および薬指部８３の指部の腹部にそれぞれ穴８４、８５、および８６が空いていて、これらの穴から親指、中指、および薬指の指の腹が露出し、動物に直接それらの指の腹で接触することができる。図４に示す動物用防護手袋では他の指部には穴があいていない。また、手の甲側にも穴は形成されていない。本考案の動物用防護手袋は前腕部にも防護カバー８７が装着されており、前腕を防護している。このように、図４に示す指部の腹部の一部に穴が空いた動物用手袋を装着することによって、動物に直接指で接触できるとともに、動物に引っかかれたり、牙や歯で噛まれたりしても怪我をすることは殆どない。人差し指部に穴が空いていないのは、最も活動しやすい指である人差し指を守るためである。
【００１６】
図５は、実際に作製した本考案の動物用防護手袋の他の実施例の写真である。図５（ａ）は手の甲側を取った写真であり、図５（ｂ）は手の平側を取った写真であり、図５（ｃ）は手の側面側を取った写真であるこれらの図から分かるように、本実施例では、親指部９１、人差し指部９２、および中指部９３の指部の腹部にそれぞれ穴９４、９５、および９６が空いていて、これらの穴から親指、人差し指、および中指の指の腹が露出し、動物に直接それらの指の腹で接触することができる。人差し指の腹は動物の感触をしやすい場所であるので、より動物の状態を触感で把握できる。
【００１７】
以上本考案の動物用防護手袋について詳細に説明したが、明細書のある部分に記載し説明した内容について記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本考案の権利範囲が前記実施形態に限定されないことも言うまでもない。
【産業上の利用可能性】
【００１８】
上述した以外にも、本考案の手袋は、自動車や機械の整備などの保護手袋にも使用できる。すなわち、手触りで確認が必要な所は穴が空いて指の腹が露出した部分で直接触れることができ、しかも整備中の種々の汚れや衝撃等に対して手や腕を保護することができる。さらに、植物の手入れを行なう仕事などでも使用できる。たとえば、植物の葉や花に直接に指の腹で触ることができ、同時に枝などの衝撃から手や腕を保護することができる。
【符号の説明】
【００１９】
５・・・手部、６・・・前腕部、９・・・開口部、１０・・・手袋、１３・・・前腕布、１４・・・手部布、３１・・・親指部、３２・・・人差し指部、３３・・・中指部、３４・・・薬指部、３５・・・小指部、４１・・・穴（親指部）、４２・・・穴（人差し指部）、４３・・・穴（中指部）、４４・・・穴（薬指部）、４５・・・穴（小指部）、６１・・・親指部、６２・・・中指部、６３・・・薬指部、６４・・・穴（親指部）、６５・・・穴（中指部）、６６・・・穴（薬指部）、６７・・・ファスナー、６８・・・リングひも、６９・・・前腕部の手のひら側の裾部、７０・・・前腕部の手の甲側の裾部、７１・・・プリーツ部、７２・・・前腕部の開口部
【図１】
0003199579.tif 000003
【図２】
0003199579.tif 000004
【図３】
0003199579.tif 000005
【図４】
0003199579.tif 000006
【図５】
0003199579.tif 000007
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
指を収容する指収容部を備えた手袋において、前記指収容部の先端部の腹側部分および／または前記指収容部の先端部の爪側部分に開口部を設けて、指の一部を露出できるようにしたことを特徴とする、動物用防護手袋。
【請求項２】
前記開口部は、前記指収容部の中指、薬指および親指の腹側部分だけに開口していることを特徴とする、請求項１に記載の動物用防護手袋。
【請求項３】
前記動物用防護手袋は、手を収容する手部および前腕を収容する前腕部が連結された手袋であることを特徴とする、請求項１または２に記載の動物用防護手袋。
【手続補正２】
【補正対象書類名】明細書
【補正対象項目名】０００８
【補正方法】変更
【補正の内容】
【０００８】
図１は、本考案の動物用防護手袋の一実施形態を示す図である。図１は右手側の手袋を示しているが、左手側も同様である。図１（ａ）は手袋の甲側を示し、図１（ｂ）は手袋の掌（手のひら）側を示す。本実施形態の手袋１０は、手側である手を収容する手部５と前腕側である前腕部６から構成される。ここで、手部とはおおよそ手首から指の先までの部分であり、前腕部を収容する前腕部とは、おおよそ手首から肘までの部分を言う。手部５は前腕部６と繋ぎ目１５で接続し、破線１６は縫い合わせ部分である。手部５は指部を含む手部布（または皮）１４から構成される。前腕部６は、前腕布（または皮）１３と、開口部９と、ファスナー２１とを主たる構成要素とする。前腕部６の長さは、手部５との繋ぎ目（ほぼ手首付近）から腕の肘付近までの長さであり、小動物の種類（比較的小さな小動物）によっては短いものでも良く、あるいは、比較的大きな小動物や鳥などでは腕の肘より長いものでも良い。手や腕は、前腕部６の開口部９から入れる。実線２５は前腕布（または皮）１３の繋ぎ目で、破線２６は縫い目である。
【手続補正３】
【補正対象書類名】明細書
【補正対象項目名】００１０
【補正方法】変更
【補正の内容】
【００１０】
手袋の掌｛手の平（ひら）｝側（図１（ｂ））における手部において、５本指（部）（親指（部）３１、人差し指（部）３２、中指（部）３３、薬指（部）３４、小指（部）３５）の指先の腹側に穴（開口部）（４１、４２、４３、４４、４５）が空いている。一方、手袋の甲（手のひら）側（図１（ｂ））における手部において、５本指の爪側には穴（開口部）は開いていない。従って、手を入れたときに、指の腹が穴（開口部）（４１、４２、４３、４４、４５）部において露出している。手袋をはめて小動物に触ったときに、露出した指の腹が小動物の皮膚や毛に接触する。従って、小動物の触感を確認し楽しめる。ペットショップの店員やペットシッターもペットの手入れをしやすくなる。また、獣医等であれば小動物の症状を直接感じ取ることができるので、より的確に病状を把握できる。尚、腹側に作製した穴は、通気穴の役割もあるので、長時間手袋をはめても汗をかきにくく蒸れずに作業を続けることもできる。また、通気穴やその他の目的（たとえば、アクセサリやファッション）のために、爪側に穴を設けることもできる。破線２８は親指部を手袋１０の手部５に取り付ける縫線を示す。このように、本考案は、指を収容する指収容部（指部）を備えた手袋において、前記指収容部の先端部の腹側部分および／または前記指収容部の先端部の爪側部分に開口部（穴）を設けて、指の一部（腹および／または爪）を露出できるようにしている。